(57)【要約】      （修正有）【課題】設置を簡便かつ低コストに行うことができるゲージ圧検出器及びこれを備えたフリューム式流量計、せき式流量計及び水位計を提供する。【解決手段】ゲージ圧検出器１は、本体２内に設けられたゲージ圧センサ３と、ゲージ圧センサ３の一面側に測定対象を導入するために本体２の一端側に設けられた第１ポート４と、ゲージ圧センサ３の他面側に大気を導入するために本体２の他端側に設けられた第２ポート５と、本体２に内蔵され、ゲージ圧センサ３によるゲージ圧の検出結果を記録する記録部６とを具備した。【選択図】図１
0003219131.tif 000002
【実用新案登録請求の範囲】
【請求項１】
本体内に設けられたゲージ圧センサと、
前記ゲージ圧センサの一面側に測定対象を導入するために前記本体の一端側に設けられた第１ポートと、
前記ゲージ圧センサの他面側に大気を導入するために前記本体の他端側に設けられた第２ポートと、
前記本体に内蔵され、前記ゲージ圧センサによるゲージ圧の検出結果を記録する記録部とを具備したゲージ圧検出器。
【請求項２】
水路に設置されるフリュームと、該フリューム内に前記第１ポートが位置し、該フリューム外に第２ポートが位置するように該フリュームに装着される請求項１に記載のゲージ圧検出器とを具備したフリューム式流量計。
【請求項３】
水路に設置されるせきと、前記水路の前記せきより上流側において、該水路内に前記第１ポートが位置し、該水路外に第２ポートが位置するように設置される請求項１に記載のゲージ圧検出器とを具備したせき式流量計。
【請求項４】
水平に延びる水平部の中間から上方に延びる垂直部を有するＴ字状の継手部と、
地中へと水平方向に差し込まれる取水管と、
請求項１に記載のゲージ圧検出器とを具備し、
前記取水管と前記ゲージ圧検出器とは前記水平部を介して連通し、該水平部内に前記第１ポートが位置し、該水平部外に第２ポートが位置するように構成された水位計。
【請求項５】
請求項１に記載のゲージ圧検出器と、該ゲージ圧検出器の他端側に接続されるベントチューブとを具備し、
前記ベントチューブ内は、前記第２ポートに連通するように構成されている水位計。
【考案の詳細な説明】
【技術分野】
【０００１】
本考案は、例えば、ゲージ圧を検出し記録するためのゲージ圧検出器及びこれを備えたフリューム式流量計、せき式流量計及び水位計に関する。
【背景技術】
【０００２】
従来、下水の流量測定に用いられる圧力式水位計として、下水のゲージ圧を測定するためのセンサを内蔵した検出器に、前記センサを大気に開放するためのチューブと通信ケーブルとを繋ぎ、通信ケーブルを地上に配される水位計の本体に接続するものが知られている。
【０００３】
斯かる測定装置では、例えば本体にゲージ圧を表示させることにより、地上でゲージ圧を確認することができる。
【考案の概要】
【考案が解決しようとする課題】
【０００４】
しかし、上記圧力式水位計では、検出器を下水中に設置した後において、これに繋ぐ比較的長尺のチューブ及び通信ケーブルの設置に手間が掛かる上、部材点数が多く製造コストが上昇するという問題もある。
【０００５】
本考案は上述の事柄に留意してなされたもので、その目的は、設置を簡便かつ低コストに行うことができるゲージ圧検出器及びこれを備えたフリューム式流量計、せき式流量計及び水位計を提供することにある。
【課題を解決するための手段】
【０００６】
上記目的を達成するために、本考案に係るゲージ圧検出器は、本体内に設けられたゲージ圧センサと、前記ゲージ圧センサの一面側に測定対象を導入するために前記本体の一端側に設けられた第１ポートと、前記ゲージ圧センサの他面側に大気を導入するために前記本体の他端側に設けられた第２ポートと、前記本体に内蔵され、前記ゲージ圧センサによるゲージ圧の検出結果を記録する記録部とを具備した（請求項１）。
【０００７】
上記目的を達成するために、本考案に係るフリューム式流量計は、水路に設置されるフリュームと、該フリューム内に前記第１ポートが位置し、該フリューム外に第２ポートが位置するように該フリュームに装着される請求項１に記載のゲージ圧検出器とを具備した（請求項２）。
【０００８】
上記目的を達成するために、本考案に係るせき式流量計は、水路に設置されるせきと、前記水路の前記せきより上流側において、該水路内に前記第１ポートが位置し、該水路外に第２ポートが位置するように設置される請求項１に記載のゲージ圧検出器とを具備した（請求項３）。
【０００９】
上記目的を達成するために、本考案に係る水位計は、水平に延びる水平部の中間から上方に延びる垂直部を有するＴ字状の継手部と、地中へと水平方向に差し込まれる取水管と、請求項１に記載のゲージ圧検出器とを具備し、前記取水管と前記ゲージ圧検出器とは前記水平部を介して連通し、該水平部内に前記第１ポートが位置し、該水平部外に第２ポートが位置するように構成された（請求項４）。
【００１０】
また、本考案に係る水位計が、請求項１に記載のゲージ圧検出器と、該ゲージ圧検出器の他端側に接続されるベントチューブとを具備し、前記ベントチューブ内は、前記第２ポートに連通するように構成されている（請求項５）。
【考案の効果】
【００１１】
本願考案では、設置を簡便かつ低コストに行うことができるゲージ圧検出器及びこれを備えたフリューム式流量計、せき式流量計及び水位計が得られる。
【００１２】
すなわち、本願の各請求項に係る考案のゲージ圧検出器及びこれを備えたフリューム式流量計、せき式流量計及び水位計では、測定対象のゲージ圧を検出・記録するに際し、ゲージ圧検出器に大気開放用のチューブや通信ケーブルをつなぐ等する必要がないので、全体の設置を簡便かつ低コストに行うことができる
【図面の簡単な説明】
【００１３】
【図１】（Ａ）及び（Ｂ）は、本考案の一実施の形態に係るゲージ圧検出器の構成を概略的に示す正面図及び説明図である。
【図２】（Ａ）は本考案の一実施の形態に係るフリューム式流量計の一例の写真、（Ｂ）は前記フリューム式流量計のフリュームの写真である。
【図３】前記フリューム式流量計の設置例を示す写真である。
【図４】本考案の一実施の形態に係るせき式流量計の構成を概略的に示す斜視図である。
【図５】（Ａ）及び（Ｂ）は、縦穴周辺の地盤及び斜面地盤の地下水位の計測に用いられる本考案の一実施の形態に係る水位計の構成を概略的に示す説明図である。
【図６】（Ａ）及び（Ｂ）は、河川の水位計測に用いられる本考案の一実施の形態に係る水位計の構成を概略的に示す説明図及び要部拡大図である。
【考案を実施するための形態】
【００１４】
本考案の実施の形態について図面を参照しながら以下に説明する。
【００１５】
図１（Ａ）及び（Ｂ）に示すゲージ圧検出器１は、本体（ボディカバー）２内に設けられたゲージ圧センサ（本例では圧力・温度センサ）３と、ゲージ圧センサ３の一面側に測定対象を導入するために本体２の一端側に設けられた第１ポート４と、ゲージ圧センサ３の他面側に大気を導入するために本体２の他端側に設けられた第２ポート５と、本体２に内蔵され、ゲージ圧センサ３によるゲージ圧の検出結果を記録する記録部６とを具備する。なお、記録部６は、計測回路６ａ及びメモリ６ｂ等によって構成されている。また、本体２内には、電池（例えばリチウム電池）７が内蔵され、本体２の他端側には、メモリ６ｂに格納されたデータを取り出すためのコネクタ８、このコネクタ８に着脱自在のコネクタキャップ９、このコネクタキャップ９に装着されるテールキャップ１０が設けられている。
【００１６】
斯かるゲージ圧検出器１では、第１ポート４から本体２内に測定対象（水）を導入し第２ポート５から本体２内に大気を導入すればゲージ圧センサ３によって測定対象のゲージ圧が検出され、測定対象のゲージ圧の検出及び記録をするのにゲージ圧検出器３以外の装置の設置が不要であり、ゲージ圧検出器１に大気開放用のチューブや通信ケーブルをつなぐ必要がないので、全体の設置を簡便かつ低コストに行うことができる。そして、以上から明らかなように、本例のゲージ圧検出器１は、第１ポート４から本体２内に導入された測定対象のゲージ圧を検出可能であり、かつ、その検出値を記録するデータロガー（記録計）として構成されている。
【００１７】
本例のゲージ圧検出器１は様々な用途に適用可能であり、その一例であるフリューム式流量計について、以下に説明する。
【００１８】
図２（Ａ）及び図３に示すフリューム式流量計（測定装置の一例）１１は、水路に設置されるフリューム１２と、フリューム１２内を流れる測定対象のゲージ圧を測定するためにフリューム１２に装着されるゲージ圧検出器１とを具備する。
【００１９】
このフリューム式流量計１１は、流路内の一部に絞りを設け、流れが常流から射流に遷移する中で限界流を発生させ、限界流量と限界水深、計測水深との関係から流量を計測する装置である。
【００２０】
フリューム１２は、ベンチュリーフリュームの一種で、公共桝のインバート部や取付管口から下流方向に簡単に設置できる卵形フリュームであって（図３（Ａ）参照）、スロート部の縦断面が卵形状を呈する。
【００２１】
そして、ゲージ圧検出器１は、フリューム１２内に第１ポート４が位置し、フリューム２外にベント（通気孔）としての第２ポート５が位置するようにフリューム１２に設けられた装着部１３に着脱自在に装着される。なお、図２（Ｂ）には、装着部１３にゲージ圧検出器１が装着されていない状態のフリューム１２を示す。
【００２２】
上記構成からなるフリューム式流量計１１では、第１ポート４にフリューム１２を流れる測定対象（水）が導入され第２ポート５に大気が導入されるゲージ圧検出器１において測定対象のゲージ圧が検出され、このゲージ圧に基づいて測定対象の流量を算出可能であり、ゲージ圧検出器１に大気開放用のチューブや通信ケーブルを接続する必要が無いので、全体の設置を簡便に行うことができる上、ゲージ圧検出器１のみのメンテナンス等も容易に行うことが可能である。
【００２３】
なお、本考案は、上記の実施の形態に何ら限定されず、本考案の要旨を逸脱しない範囲において種々に変形して実施し得ることは勿論である。例えば、以下のような変形例を挙げることができる。
【００２４】
上記実施の形態では、フリューム１２が卵形フリュームである例を示したが、これに限らず、フリューム１２が、パーマボーラスフリュームやパーシャルフリューム等であってもよく、上記実施形態と同様に適宜の位置に装着部１３を設ければよい。
【００２５】
また、本考案のゲージ圧検出器１は、フリューム式流量計１１に限らず、図４に示すようにせき式流量計１４にも適用可能である。すなわち、図３に示すせき式流量計１４は、水路１５に設置されるせき１６と、水路１５の内壁に設けられた装着部１３とを具備する。そして、図４には示していないが、この装着部１３に着脱自在にゲージ圧検出器１が装着されるのであって、ゲージ圧検出器１は、水路１５のせき１６より上流側において、水路１５内に第１ポート４が位置し、水路１５外（水路１５を流れる水に触れない領域）に第２ポート５が位置するように装着部１３に装着される。このせき式流量計１４では、第１ポート４から水路１５を流れる測定対象（水）が導入され第２ポート５から大気が導入されるゲージ圧検出器１において測定対象のゲージ圧が検出され、このゲージ圧に基づいて水路１５を流れる測定対象の流量を算出することができる。なお、せき１６の形状は、図示例の四角せきに限らず、三角せき等であってもよい。
【００２６】
さらに、本考案のゲージ圧検出器１は、図５（Ａ）に示すようにして用いられる水位計１７にも適用可能である。すなわち、図５（Ａ）に示す水位計１７は、マンホール等、地上から地中に向かって延びる縦穴Ｈ内において用いられるものであり、水平に延びる管状の水平部１８の中間から上方に延びる管状の垂直部１９を有するＴ字管状の継手部（チーズ）２０と、地中へと水平方向に差し込まれる取水管２１と、ゲージ圧検出器１とを具備し、取水管２１とゲージ圧検出器１とは水平部１８を介して連通し、水平部１８内に第１ポート４が位置し、水平部１８外に第２ポート５が位置するように構成されている。この水位計１７では、縦穴Ｈ周辺の垂直地盤Ｇ１の地下水が、取水管２１及び水平部１８内を経て第１ポート４から本体２内に導入され、第２ポート５からは大気が導入されるゲージ圧検出器１により、縦穴Ｈ周辺の垂直地盤Ｇ１の地下水のゲージ圧が検出され、このゲージ圧に基づいて垂直地盤Ｇ１の地下水位を算出することができる。
【００２７】
また、この水位計１７によれば、縦穴Ｈ周辺の垂直地盤Ｇ１の地下水位に限らず、図５（Ｂ）に示すように、例えば法面を構成する斜面地盤Ｇ２の地下水位を計測することも可能である。
【００２８】
なお、図５（Ａ）及び（Ｂ）の例では、継手部２０の垂直部１９の上方開口に水位視認用パイプ２２を差し込んでいるが、この水位視認用パイプ２２を省略してもよく、この場合、垂直部１９をも省略し、継手部２０を水平部１８のみからなる管状の部材によって構成してもよい。また、継手部２０を、その構成の如何にかかわらず、取水管２１と一体に形成してもよい（取水管２１に継手部２０に相当する部位を設け、取水管２１に直接ゲージ圧検出器１を接続するようにしてもよい）。
【００２９】
また、本考案は、図６（Ａ）及び（Ｂ）に示すように、河川（小河川）や用水路の水位計測のための水位計２３にも適用可能である。すなわち、水位計２３は、ゲージ圧検出器１と、ゲージ圧検出器１の他端側に一端が接続されるベントチューブ２４とを具備し、ベントチューブ２４内は、第２ポート５に連通するように構成されている。なお、図６（Ｂ）の例では、ベントチューブ２４の一端に拡開部２５が設けられ、この拡開部２５の先端とゲージ圧検出器１の本体２の外面との間に通水がなく、かつ、拡開部２５が第２ポート５を閉塞しないように構成されている。そして、図６（Ａ）に示すように、この水位計２３を使用する場合、適宜の保持部材２６により、ベントチューブ２４の他端は河川や用水路を流れる水に埋没しないように保持させればよい。この水位計２３では、河川や用水路を流れる測定対象（水）が第１ポート４から本体２内に導入され第２ポート５からは大気が導入されるゲージ圧検出器１において測定対象のゲージ圧が検出され、このゲージ圧に基づいて河川や用水路の水位を算出することができる。すなわち、この水位計２３では、第２ポート５に大気が導入されるように第２ポート５からベントチューブ２４にかけて適宜の手段により水密性を保つ必要がある。
【００３０】
ここで、ベントチューブ２４は、可撓性を有するチューブで構成されているものに限らず、可撓性を有さないパイプによって構成されていてもよい。
【００３１】
なお、本明細書で挙げた変形例どうしを適宜組み合わせてもよいことはいうまでもない。
【符号の説明】
【００３２】
１    ゲージ圧検出器
２    本体
３    ゲージ圧センサ
４    第１ポート
５    第２ポート
６    記録部
７    電池
８    コネクタ
９    コネクタキャップ
１０    テールキャップ
１１    フリューム式流量計
１２    フリューム
１３    装着部
１４    せき式流量計
１５    水路
１６    せき
１７    水位計
１８    水平部
１９    垂直部
２０    継手部
２１    取水管
２２    水位視認用パイプ
２３    水位計
２４    ベントチューブ
２５    拡開部
２６    保持部材
Ｇ１  垂直地盤
Ｇ２  斜面地盤
Ｈ    縦穴
【図１】
0003219131.tif 000003
【図２】
0003219131.tif 000004
【図３】
0003219131.tif 000005
【図４】
0003219131.tif 000006
【図５】
0003219131.tif 000007
【図６】
0003219131.tif 000008